(57)【要約】【課題】キーワードによる検索機能を有するＷｅｂページで、ユーザーは煩雑な十字キー（カーソル移動キー）による入力操作が軽減される入力処理装置を提供する。【解決手段】本発明は、マウスなどのポインティングデバイスが設けられていない装置に入力を行う入力処理装置であって、所定言語で記述されたページデータを取得するデータ通信部（ステップＳ１０１）と、画面表示を行う表示部と、前記データ通信部で取得されたページデータを解読する解読部（ステップＳ１０２）と、前記表示部に表示する文字を入力する文字入力部と、前記解読部による通信データの解読結果、及び、前記文字入力部からの入力に基づき、前記表示部を制御する表示制御部と、を有し、前記表示制御部は、前記表示部の表示範囲内にテキスト入力欄を表示させる記述が前記通信データに含まれると判断し、かつ、前記文字入力部による文字入力があったとき（ステップＳ１０４）には、前記表示部のテキスト入力欄に文字入力がされるように制御することを特徴とする。【選択図】  図５
2009157416.tif 000002
【特許請求の範囲】
【請求項１】
表示画面を有する表示装置と、操作者の操作を入力する入力操作部と、該入力操作部からの入力に応じて前記表示装置の表示を制御する制御装置を備えた入力処理装置において、
前記入力操作部は、前記表示画面上の入力点を操作可能な入力点操作キーと、前記表示画面上の入力点で所定の文字または記号を入力可能な文字入力用キーを有し、
前記制御装置は、前記文字入力用キーが操作されたときには、前記表示画面上の入力点に関わらず、テキスト入力欄内に入力文字が表示されるように制御することを特徴とする入力処理装置。
【請求項２】
所定言語で記述されたページデータを取得するデータ通信部と、
前記データ通信部で取得されたページデータを解読する解読部と、を有し、
前記制御装置は、前記解読部による通信データの解読結果、及び、前記入力操作部からの入力に基づき前記表示装置を制御すると共に、
前記表示装置の表示範囲内にテキスト入力欄を表示させる記述が前記通信データに含まれると判断し、かつ、前記入力操作部による文字入力があったときには、前記表示装置のテキスト入力欄に文字入力が表示されるように制御することを特徴とする請求項１に記載の入力処理装置。
【請求項３】
テキスト入力欄の属性を解析するテキスト入力欄解析部と、
テキスト入力欄の属性と入力文字との関連性を記憶する関連性データベース部と、を有し、
前記制御装置は、前記表示装置の表示範囲内にテキスト入力欄を表示させる記述が前記通信データに複数含まれると判断し、かつ、前記入力操作部による文字入力があったときには、
前記テキスト入力欄解析部により解析した複数のテキスト入力欄の属性と、
入力された文字との関連性を、前記関連性データベース部によって調査し、
入力された文字との関連性が高い属性を有するテキスト入力欄に文字入力が表示されるように制御することを特徴とする請求項２に記載の入力処理装置。
【発明の詳細な説明】
【技術分野】
【０００１】
本発明は、限られた入力デバイスが設けられるのみの装置において、少ない入力キー操作で所望の入力該当箇所に効率的に文字を入力する処理を実行可能とし、ユーザーの入力操作の簡易化を図ることができる入力処理装置に関する。
【背景技術】
【０００２】
携帯電話機やＰＤＡなどの携帯型情報端末装置、或いはカーナビゲーション装置では、パーソナルコンピュータ（ＰＣ）のようなキーボードやマウスなどの入力装置が備わっていないものが多く、テンキーや十字キー（カーソル移動キー）等の限られた入力手段を利用して文字入力を行わなければならない。
【０００３】
そこで、このように限られた入力キーが限られた携帯端末装置においては、少ない入力キー操作で所望の処理を開始できるようにして、使用者の入力操作の簡易化を図る技術が種々提案されている。
【０００４】
例えば、特許文献１（特開２００１−３３３１７４号公報）には、「０」から「９」までの番号がそれぞれ付された１０個の入力キーと「＊」（アスタリスク）および「＃」（シャープ）の符号がそれぞれ付された２個の入力キーを備え、これら１２個の入力キーを予め定められた配列に配置し、上記１２個の入力キーの少なくとも一部はそれぞれに選択項目が一つずつ割り当てられ、制御手段が表示画面に選択項目が割り当てられた入力キーの配列に対応した配列で入力キーに割り当てられた選択項目を少なくとも一つ表示するよう構成した携帯端末装置が記載されている。
【特許文献１】特開２００１−３３３１７４号公報
【発明の開示】
【発明が解決しようとする課題】
【０００５】
従来、携帯端末装置で、検索ページにおいてキーワードを使って検索を行うにあたり、テキスト入力欄がある場合、カーソル位置まで十字キー（カーソル移動キー）（↑↓←→などのキー）を使って、テキスト入力欄までたどり着き、その後、テンキーで文字入力を入力しなければならず、十字キー（カーソル移動キー）の入力操作が何度も必要となり、煩雑である、という問題があった。
【０００６】
本発明では、表示画面にテキスト入力欄がある場合には、十字キー（カーソル移動キー）の入力操作を不要として、テンキーを操作し文字を入力しようとした場合は自動的にキスト入力欄へ文字を入力していくことにより、ユーザーのカーソル移動による操作を軽減することを目的とする。
【課題を解決するための手段】
【０００７】
上記問題点を解決するために、請求項１に係る発明は、表示画面を有する表示装置と、操作者の操作を入力する入力操作部と、該入力操作部からの入力に応じて前記表示装置の表示を制御する制御装置を備えた入力処理装置において、前記入力操作部は、前記表示画面上の入力点を操作可能な入力点操作キーと、前記表示画面上の入力点で所定の文字または記号を入力可能な文字入力用キーを有し、前記制御装置は、前記文字入力用キーが操作されたときには、前記表示画面上の入力点に関わらず、テキスト入力欄内に入力文字が表示されるように制御することを特徴とする。
【０００８】
また、請求項２に係る発明は、請求項１に記載の入力処理装置において、所定言語で記述されたページデータを取得するデータ通信部と、前記データ通信部で取得されたページデータを解読する解読部と、を有し、前記制御装置は、前記解読部による通信データの解読結果、及び、前記入力操作部からの入力に基づき前記表示装置を制御すると共に、前記表示装置の表示範囲内にテキスト入力欄を表示させる記述が前記通信データに含まれると判断し、かつ、前記入力操作部による文字入力があったときには、前記表示装置のテキスト入力欄に文字入力が表示されるように制御することを特徴とする。
【０００９】
また、請求項３に係る発明は、請求項２に記載の入力処理装置において、テキスト入力欄の属性を解析するテキスト入力欄解析部と、テキスト入力欄の属性と入力文字との関連性を記憶する関連性データベース部と、を有し、前記制御装置は、前記表示装置の表示範囲内にテキスト入力欄を表示させる記述が前記通信データに複数含まれると判断し、かつ、前記入力操作部による文字入力があったときには、前記テキスト入力欄解析部により解析した複数のテキスト入力欄の属性と、入力された文字との関連性を、前記関連性データベース部によって調査し、入力された文字との関連性が高い属性を有するテキスト入力欄に文字入力が表示されるように制御することを特徴とする。
【発明の効果】
【００１０】
本発明の請求項１に係る入力処理装置によれば、テキスト入力欄が配された表示画面で、文字入力用キーが操作されたときには、テキスト入力欄内に入力文字が入力されるように制御するので、煩雑な十字キー（カーソル移動キー）による入力操作が軽減される。
【００１１】
また、本発明の請求項２に係る入力処理装置によれば、前記制御装置は、前記解読部による通信データの解読結果、及び、前記入力操作部からの入力に基づき前記表示装置を制御すると共に、前記表示装置の表示範囲内にテキスト入力欄を表示させる記述が前記通信データに含まれると判断し、かつ、前記入力操作部による文字入力があったときには、前記表示装置のテキスト入力欄に文字入力が表示されるように制御するので、キーワードによる検索機能を有するＷｅｂページで、ユーザーは煩雑な十字キー（カーソル移動キー）による入力操作が軽減されることとなる。
【００１２】
また、本発明の請求項３に係る入力処理装置によれば、テキスト入力欄の属性を解析するテキスト入力欄解析部と、テキスト入力欄の属性と入力文字との関連性を記憶する関連性データベース部と、を有し、前記制御装置は、前記表示装置の表示範囲内にテキスト入力欄を表示させる記述が前記通信データに複数含まれると判断し、かつ、前記入力操作部による文字入力があったときには、前記テキスト入力欄解析部により解析した複数のテキスト入力欄の属性と、入力された文字との関連性を、前記関連性データベース部によって調査し、入力された文字との関連性が高い属性を有するテキスト入力欄に文字入力が表示されるように制御するので、キーワードによる検索機能を有するＷｅｂページで、入力可能なテキスト入力欄が複数あっても、最適なテキスト入力欄に文字入力がなされる。
【発明を実施するための最良の形態】
【００１３】
本発明の実施の形態を図面を参照しつつ説明する。以下、本実施形態の入力処理装置が適用される装置について移動体通信端末を例により詳しく説明する。なお、本実施形態として移動体通信端末を例に説明するが、本発明の入力処理装置が適用可能なものは移動体通信端末（携帯電話機、ＰＨＳ電話機など）に限らず、本発明は、ＰＤＡ、ゲーム機などの携帯型情報端末装置、カーナビゲーション装置などの、テンキーや十字キー（カーソル移動キー）等の限られた入力手段のみを有するものに適用するのに好適である。図１は本発明の実施の形態に係る入力処理装置を備える移動体通信端末の外観斜視図であり、図２は本発明の実施の形態に係る入力処理装置を備える移動体通信端末のブロック構成の概略を示す図である。
【００１４】
図１及び図２において、１００は移動体通信端末、１０１はＣＰＵ、１０２はバス、１０３はＲＯＭ、１０４はＲＡＭ、１０５は操作者の操作を入力する入力操作部、１０６は入力回路、１０８は音声制御回路、１０９はマイクロフォン、１１２はスピーカ、１１４は表示制御回路、１１５は表示画面を有する表示装置としてのディスプレイ、１１６は通信制御回路をそれぞれ示している。
【００１５】
図１は、本実施例の入力処理装置を備える移動体通信端末の外観の一例を示したものである。この移動体通信端末１００は２つの筐体をヒンジ機構によって折り畳むことができるタイプのものである。図１はこのような移動体通信端末１００のヒンジ機構を開いた状態を示しており、一方の筐体には、表示部としてディスプレイ１１５及び音声出力部としてスピーカ１１２が配置されており、他方の筐体には、入力インターフェイスとして、十字キー（カーソル移動キー）、テンキーなどの入力操作部１０５及びマイクロフォン１０９が配置されている。
【００１６】
図２は図１に示した移動体通信端末の回路構成の概要を表わしたものである。移動体通信端末１００は、入力操作部１０５からの入力に応じて表示装置としてのディスプレイ等の表示を制御する制御装置であるＣＰＵ（中央処理装置）１０１を搭載している。ＣＰＵ１０１はバス１０２を通じて装置内の各部と接続されている。このうちＲＯＭ１０３はこの移動体通信端末１００の各部を制御するためのプログラムを格納したリード・オンリ・メモリである。ＲＡＭ１０４はプログラムを実行するときに必要となる一時的なデータおよび画像等を含んだ通信データを一時的に格納するランダム・アクセス・メモリである。
【００１７】
入力操作部１０５は図２に示した他方の筐体の閉じ合わせる側の面に配置されたキースイッチ群から構成されている。入力操作部１０５の操作により発生した信号は入力回路１０６を介してバス１０２に伝達されるようになっている。
【００１８】
音声制御回路１０８は音声の入出力を行う回路で、マイクロフォン１０９から音声を入力すると共に、スピーカ１１２から音声を出力するようになっている。表示制御回路１１４は、前記したディスプレイ１１５の表示を制御するようになっている。通信制御回路１１６は、不図示の無線基地局と無線で通信を行うになっている。
【００１９】
図３は本発明の実施の形態に係る入力処理装置を備える移動体通信端末１００の入力操作部と表示部とを示す図である。近年、例えば、携帯電話機、ＰＨＳ電話機などの移動体通信端末は、本体内にブラウザ機能（ＷＷＷブラウザ機能）を搭載して操作キーの操作によりインターネットに接続して所望のＷｅｂページ（ホームページ、Ｗｅｂコンテンツ）を検索できるように形成されている。このような移動体通信端末１００では、本体に操作キーを効率よく配置して所望のＷｅｂページを短時間で表示できるように形成することが要求される。図３は、このような携帯電話機に採用した移動体通信端末１００を示す正面図である。このような構成からなる携帯電話機に採用した移動体通信端末１００を用いてインターネットに接続する場合、ユーザー携帯電話機の本体により携帯電話会社等が提供する通信回線を介してインターネットに接続される。そして、ユーザーは、表示させたい情報のアドレス（ＵＬＲ：Ｕｎｉｆｏｒｍ  ＲｅｓｏｕｒｃｅＬｏｃａｔｏｒ）をテンキーにより入力したり、十字キー（カーソル移動キー）でリンク先のＵＲＬ情報が埋め込まれた箇所を選択したりして入力して携帯電話会社に送信することで、所望のページデータ（Ｗｅｂページ）を得ることができる。なお、本明細書では、カーソル（入力点）とは、ＧＵＩ上の表示においては、選択候補項目の位置を示すものとして定義する。また、テキスト入力欄における表示においては、次に入力される文字がどこに追加されるかを示すものとして定義する。
【００２０】
また、ユーザーの入力操作によるＵＲＬの指定で、通信制御回路１１６が取得するページデータは、ＨＴＭＬ（ハイパーテキストマークアップランゲージ）などで記述されている。このようなページデータは、ＲＯＭ１０３に予め記憶されるプログラムに基づいて制御装置であるＣＰＵ１０１が解読し、これに基づいて表示制御回路１１４を駆動し、ＵＲＬで指定されたページの情報をディスプレイ１１５上に表示することができるように構成されている。
【００２１】
図３において、入力操作部１０５の詳細を示すと、１２４ａはテンキー、１２４ｂは発信・切断キー、１２４ｃは十字キー（カーソル移動キー）、１２４ｄは決定キー、１２４ｅは第１機能呼び出しキー、１２４ｆは第２機能呼び出しキーである。テンキー１２４ａは、所定の文字または記号を入力可能な文字入力用キーであり、十字キー１２４ｃは、表示装置としてのディスプレイ１１５に表示された表示画面上で入力点であるカーソルを移動させる入力点操作キーである。なお、入力点操作キーは、ページデータによっては、表示画面上での入力点を移動させるだけでなく、その表示画面の順または逆送りとして機能する場合もある。
【００２２】
図４は本発明の実施の形態に係る入力処理装置を備える移動体通信端末１００のディスプレイ表示例を示す図である。図４は、リンク先のＵＲＬ情報が埋め込まれた項目（ショッピング、オークション、銀行・・・など）と、検索のためのキーワードを入力可能なテキスト入力欄が表示されるＷｅｂページの表示例を示している。
【００２３】
ここで、図４を参照しつつ従来の検索実行手順を示す。例えば現在「天気」の項目にカーソル位置があるとして、テキスト入力欄に文字を入力して、検索を実行しようとする場合の手順について説明する。このような場合、まず十字キー（カーソル移動キー）１２４ｃの「↑」のキーを４回押下し、カーソルを「天気」の項目→「旅行」の項目→「証券」の項目→「ショッピング」の項目→テキスト入力欄に移動させる。続いて、テンキー１２４ａなどを押下して、検索のためのキーワードを文字入力する。次に、十字キー（カーソル移動キー）１２４ｃの「→」のキーを1回押下し、「検索」ボタンにカーソルを移動させて、決定キー１２４ｄを押下することによって、入力文字をキーワードとした検索を実行する。
【００２４】
このように従来の検索実行手順では十字キー（カーソル移動キー）１２４ｃを、何度か押下して、カーソルをテキスト入力欄に移動させてから、検索のためのキーワードをテンキー１２４ａで入力する必要がある、という問題があった。
【００２５】
すなわち、従来、携帯端末装置で、検索機能があるＷｅｂページにおいてキーワードを使って検索を行うにあたり、テキスト入力欄がある場合、カーソル位置まで十字キー（カーソル移動キー）１２４ｃ（↑↓←→などのキー）を使って、テキスト入力欄までたどり着き、その後、テンキー１２４ａで文字入力を入力しなければならず、十字キー（カーソル移動キー）１２４ｃの入力操作が何度も必要となり、煩雑である、とう問題があった。
【００２６】
本発明では、ディスプレイ１１５の表示画面にテキスト入力欄がある場合には、十字キー（カーソル移動キー）１２４ｃの入力操作を不要として、テンキー１２４ａを操作し文字を入力しようとした場合は自動的にテキスト入力欄へ文字を入力していくことにより、ユーザーのカーソル移動による操作を軽減するものである。
【００２７】
次に、本実施形態に係る入力処理装置の処理について説明する。図５は本発明の実施の形態に係る入力処理装置の処理フローチャートを示す図である。なお、ここで示す入力処理装置の処理ルーチンは、その他の制御処理のサブルーチンの一部として考えることができるものである。
【００２８】
図５において、ステップＳ１００で処理が開始されると、続いて、ステップＳ１０１に進み、  通信制御回路１１６が、指定されたＵＲＬに基づいて、ページデータの取得を行う。続いて、ステップＳ１０２では、通信制御回路１１６が取得したページデータの解読を行う。
【００２９】
次に、ステップＳ１０３では、表示範囲内にテキスト入力欄の記述があるか否かを判定する。このような判定は、ページデータの中に、テキスト入力欄のための記述である
<input type="text"   name="   " value="  " size="  " class="  ">
などが存在するか否かによって判定することが可能である。
【００３０】
ステップＳ１０３における判定結果がＹＥＳであるときにはステップＳ１０４に進み、ステップＳ１０３における判定結果がＮＯであるときにはステップＳ１０６に進む。ステップＳ１０６では、十字キー（カーソル移動キー）１２４ｃなどの入力操作に基づく通常の表示制御を実行し、ステップＳ１０７で処理を終了する。
【００３１】
ステップＳ１０４では、ユーザーによって文字入力のためにテンキー１２４ａの入力操作あるか否かが判定される。ステップＳ１０４における判定の結果がＹＥＳであればステップＳ１０５に進み、ステップＳ１０４における判定の結果がＮＯであればステップＳ１０６に進む。ステップＳ１０６では、十字キー（カーソル移動キー）１２４ｃなどの入力操作に基づく通常の表示制御を実行し、ステップＳ１０７で処理を終了する。
【００３２】
ステップＳ１０５では、テンキー１２４ａの入力操作による文字入力は、テキスト入力欄にそく入力するように表示制御を行う。ステップＳ１０７で処理を終了する。
【００３３】
このような処理によれば、キーワードによる検索機能を有するＷｅｂページで、ユーザーは煩雑な十字キー（カーソル移動キー）１２４ｃによる入力操作が軽減されることとなる。
【００３４】
次に、本発明の他の実施形態について説明する。他の実施形態では、キーワードによる検索機能を有するＷｅｂページで、文字入力可能なテキスト入力欄が複数存在する場合にも対処可能なものである。
【００３５】
本実施形態の入力処理装置の構成は、先の実施形態と同様のものを用いることができる。ただ、ＲＯＭ１０３には、本実施形態に用いるための関連性データベース部を設け、本実施形態の処理フローを実行するためのプログラムを準備する必要がある。
【００３６】
ＲＯＭ１０３には、ページデータの中に、テキスト入力欄のための記述である
<input type="text"   name="   " value="  " size="  " class="  ">
の記述があったときに、その前後の記述からテキスト入力欄の属性を解析するためのプログラムを設ける。ここで、テキスト入力欄の属性とは、テキスト入力欄がどのようなキーワードを受け付け得るものであるかを示すものである。例えば、テキスト入力欄に入力されるキーワードが「地名」であるのか、「郵便番号」であるのか、といったことがテキスト入力欄の属性である。
【００３７】
このようなテキスト入力欄の属性に対して、テンキー１２４ａの入力操作による文字入力で入力されるキーワードとどのように関連しているのかを予め記憶しているのが、ＲＯＭ１０３に設定される関連性データベースである。このような関連性データベースは、不図示の書き換え可能な不揮発性記憶手段に設けておき、学習したり、サーバーなどと交信し適宜更新したりするように設定することも可能である。
【００３８】
次に、他の実施形態に係る入力処理装置の処理について説明する。図６は本発明の他の実施の形態に係る入力処理装置の処理フローチャートを示す図である。なお、ここで示す入力処理装置の処理ルーチンは、その他の制御処理のサブルーチンの一部として考えることができるものである。
【００３９】
図６において、ステップＳ２００で処理が開始されると、続いて、ステップＳ２０１に進み、  通信制御回路１１６が、指定されたＵＲＬに基づいて、ページデータの取得を行う。続いて、ステップＳ２０２では、通信制御回路１１６が取得したページデータの解読を行う。
【００４０】
次に、ステップＳ２０３では、表示範囲内にテキスト入力欄の記述があるか否かを判定する。このような判定は、ページデータの中に、テキスト入力欄のための記述である
<input type="text"   name="   " value="  " size="  " class="  ">
などが存在するか否かによって判定することが可能である。
【００４１】
ステップＳ２０３における判定結果がＹＥＳであるときにはステップＳ２０４に進み、ステップＳ２０３における判定結果がＮＯであるときにはステップＳ２０９に進む。ステップＳ２０９では、十字キー（カーソル移動キー）１２４ｃなどの入力操作に基づく通常の表示制御を実行し、ステップＳ２１０で処理を終了する。
【００４２】
ステップＳ２０４では、ディスプレイ１１５が表示する範囲でページデータの中にテキスト入力欄が複数存在するか否かが判定される。ステップＳ２０４の判定結果がＹＥＳであるときにはステップＳ２０５に進み、ステップＳ２０４の判定結果がＮＯであるときにはステップＳ２０７に進む。
【００４３】
ステップＳ２０７では、ユーザーによって文字入力のためにテンキー１２４ａの入力操作あるか否かが判定される。ステップＳ２０７における判定の結果がＹＥＳであればステップＳ２０８に進み、ステップＳ２０７における判定の結果がＮＯであればステップＳ２０９に進む。ステップＳ２０９では、十字キー（カーソル移動キー）１２４ｃなどの入力操作に基づく通常の表示制御を実行し、ステップＳ２１０で処理を終了する。
【００４４】
ステップＳ２０４の判定結果がＹＥＳであるときに進むステップＳ２０５では、テンキー１２４ａの入力操作あるか否かが判定される。ステップＳ２０５における判定結果がＹＥＳであればステップＳ２０６に進み、ステップＳ２０５における判定結果がＮＯであればステップＳ２０９に進む。ステップＳ２０９では、十字キー（カーソル移動キー）１２４ｃなどの入力操作に基づく通常の表示制御を実行し、ステップＳ２１０で処理を終了する。
【００４５】
ステップＳ２０６では、十字キー（カーソル移動キー）１２４ｃなどの入力操作に基づく入力文字との関連性が高い属性を有するテキスト入力欄に、入力がなされるように制御される。入力文字と、テキスト入力欄の属性の関連性の高低については、ＲＯＭ１０３に設定される関連性データベースが参照される。ステップＳ２１０で処理を終了する。
【００４６】
以上のような処理がなされる他の実施形態では、キーワードによる検索機能を有するＷｅｂページで、入力可能なテキスト入力欄が複数あっても、最適なテキスト入力欄に文字入力がなされる。また、ステップ２０３では、表示画面上である表示範囲内にテキスト入力欄の記述があるか否かを判定することを行ったが、ページデータの解読結果によりページデータ内に表示画面上である表示範囲内でなくとも、ページデータ内でテキスト入力欄の記述があるか否かを判定してもよい。
【図面の簡単な説明】
【００４７】
【図１】本発明の実施の形態に係る入力処理装置を備える移動体通信端末の外観斜視図である。
【図２】本発明の実施の形態に係る入力処理装置を備える移動体通信端末の入力操作部と表示部とを示す図である。
【図３】本発明の実施の形態に係る入力処理装置を備える移動体通信端末のブロック構成の概略を示す図である。
【図４】本発明の実施の形態に係る入力処理装置を備える移動体通信端末１００のディスプレイ表示例を示す図である。
【図５】本発明の実施の形態に係る入力処理装置の処理フローチャートを示す図である。
【図６】本発明の他の実施の形態に係る入力処理装置の処理フローチャートを示す図である。
【符号の説明】
【００４８】
１００・・・移動体通信端末、１０１・・・ＣＰＵ、１０２・・・バス、１０３・・・ＲＯＭ、１０４・・・ＲＡＭ、１０５・・・入力操作部、１０６・・・入力回路、１０８・・・音声制御回路、１０９・・・マイクロフォン、１１２・・・スピーカ、１１４・・・表示制御回路、１１５・・・ディスプレイ、１１６・・・通信制御回路、１２４ａ・・・テンキー、１２４ｂ・・・発信・切断キー、１２４ｃ・・・十字キー（カーソル移動キー）、１２４ｄ・・・決定キー、１２４ｅ・・・第１機能呼び出しキー、１２４ｆ・・・第２機能呼び出しキー
【図１】
2009157416.tif 000003
【図２】
2009157416.tif 000004
【図３】
2009157416.tif 000005
【図４】
2009157416.tif 000006
【図５】
2009157416.tif 000007
【図６】
2009157416.tif 000008